(57)【要約】【課題】遊技者による電子部品の不正な交換を抑止すると共に、不正品の存在を容易に発見可能な不正監視装置を提供する。【解決手段】遊技機の不正監視装置は、コネクタ（電子部品）３２とボルト３６とＩＣタグ３５とカバー部材３９とを備える。ボルト３６は、締め込み方向に回転する治具と係合し且つ締め込み解除方向に回転する治具と係合しない形状の係合部を表面に有するネジ頭部３７と、ネジ軸部３８とを有する。ＩＣタグ３５は、固有の識別情報が記憶され、コネクタ３２が有するネジ孔３３に挿入され、ネジ孔３３に螺合するネジ軸部３８によって封入される。カバー部材３９は、ネジ頭部３７とコネクタ３２との間に挟持される底板部４０と、底板部４０から延びてネジ頭部３７の側方を覆う周壁部４３とを有する。【選択図】図３
2008036227.tif 000002
【特許請求の範囲】
【請求項１】
ネジ孔を有し、遊技機に取り付けられる電子部品と、
締め込み方向に回転する治具と係合し且つ締め込み解除方向に回転する治具と係合しない形状の係合部を表面に有するネジ頭部と、このネジ頭部から延びて前記ネジ孔と螺合するネジ軸部と、を有するボルトと、
固有の識別情報が記憶され、前記ネジ孔に挿入され、前記ネジ孔に螺合する前記ネジ軸部によって封入されるＩＣタグと、
前記ネジ孔に前記ネジ軸部を螺合して前記ボルトを締め込んだ状態で、前記ネジ頭部と前記電子部品との間に挟持される底板部と、前記底板部から延びて前記ネジ頭部の側方を覆う周壁部と、を有するカバー部材と、を備え
前記電子部品又は前記カバー部材の少なくとも一方は、その他方に係止して前記カバー部材が前記ボルトとの供回りすることを阻止する係止部を有する
ことを特徴とする遊技機の不正監視装置。
【請求項２】
ネジ孔を有する電子部品と、
締め込み方向に回転する治具と係合し且つ締め込み解除方向に回転する治具と係合しない形状の係合部を表面に有するネジ頭部と、このネジ頭部から延びて前記ネジ孔と螺合するネジ軸部と、を有するボルトと、
固有の識別情報が記憶され、前記ボルトの内部に封入されるＩＣタグと、
前記ネジ孔に前記ネジ軸部を螺合して前記ボルトを締め込んだ状態で、前記ネジ頭部と前記電子部品との間に挟持される底板部と、前記底板部から延びて前記ネジ頭部の側方を覆う周壁部と、を有するカバー部材と、を備え
前記電子部品又は前記カバー部材の少なくとも一方は、その他方に係止して前記カバー部材が前記ボルトとの供回りすることを阻止する係止部を有する
ことを特徴とする遊技機の不正監視装置。
【請求項３】
請求項１又は請求項２に記載の不正監視装置であって、
前記カバー部材の周壁部に切り込み溝が形成されている
ことを特徴とする遊技機の不正監視装置。
【請求項４】
請求項１〜請求項３の何れかに記載の不正監視装置であって、
前記電子部品の近傍で前記遊技機に固定され、前記ＩＣタグに対して呼出波を送信してその反射波を受信するアンテナを備えた
ことを特徴とする遊技機の不正監視装置。
【発明の詳細な説明】
【技術分野】
【０００１】
本発明は、弾球遊技機や回胴式遊技機等の遊技機の不正監視装置に関する。
【背景技術】
【０００２】
弾球遊技機や回胴式遊技機等の遊技機では、遊技者に対する利益付与は、制御装置が実行する電気的な制御処理によって決定される。このため、制御装置を構成する電子部品の一部を正規品から不正品に交換することにより、遊技者にとって有利な制御処理を恣意的に実行させることができ、遊技者は不正に利益を得ることが可能となる。
【０００３】
このような遊技者による不正行為を防止する構造として、特開２００２−９２１０号公報には、ＩＣチップを不透明な偏光樹脂で被覆し、その外側を透明なパッケージ樹脂により被覆したＩＣを回路基板に取り付け、この回路基板を透明な回路基板ケース内に収容したＩＣチップの保護構造が記載されている。
【０００４】
また、特開２００５−２６１４９２号公報には、制御装置の収納ケースにＩＣタグが取り付けられ、監視ユニットが収納ケースを捲回するバンドによって取り付けられた構造が記載されている。
【０００５】
【特許文献１】特開２００５−２６１４９２号公報
【特許文献２】特開２００２−９２１０号公報
【発明の開示】
【発明が解決しようとする課題】
【０００６】
ところで、制御装置による正規の制御処理を遊技者にとって有利な制御処理に変更させる方法としては、上述のように制御装置を構成する電子部品の一部を正規品から不正品に交換する方法のほか、制御装置に電気的に接続されたコネクタなどの電子部品を正規品から不正品に交換する方法がある。このような制御装置に接続された電子部品の場合、その全てをケース内に収容することが難しいため、上記従来の構造によって不正行為の全てを未然に防止することはできない。
【０００７】
しかし、電子部品が正規品から不正品に交換されたまま長期間放置されると、遊技者による不正な遊技も継続されてしまうため、遊技機が設置されたホールの従業者等は、係る不正部品への交換を抑制し、且つ不正品の存在をできるだけ早期に発見する必要がある。
【０００８】
また、コネクタが正規品から不正品に交換されることにより、不正品のコネクタに接続された不正な装置から制御装置に信号が送信されて遊技者にとって有利な遊技状態へ不正に移行される場合が発生するが、コネクタに対して効果的な不正防止対策は行われていなかった。
【０００９】
本発明は、上記実状に鑑みてなされたものであって、遊技者による電子部品の不正な交換を抑止すると共に、不正品の存在を容易に発見することが可能な遊技機の不正監視装置の提供を目的とする。
【課題を解決するための手段】
【００１０】
上記目的を達成するため、本発明に係る遊技機の不正監視装置は、電子部品と、ボルトと、ＩＣタグと、カバー部材とを備える。
【００１１】
電子部品は、ネジ孔を有し、遊技機に取り付けられる。ボルトは、締め込み方向に回転する治具と係合し且つ締め込み解除方向に回転する治具と係合しない形状の係合部を表面に有するネジ頭部と、このネジ頭部から延びてネジ孔と螺合するネジ軸部と、を有する。ＩＣタグは、固有の識別情報が記憶され、ネジ孔に挿入され、ネジ孔に螺合するネジ軸部によって封入される。カバー部材は、ネジ孔にネジ軸部を螺合してボルトを締め込んだ状態で、ネジ頭部と電子部品との間に挟持される底板部と、底板部から延びてネジ頭部の側方を覆う周壁部と、を有する。電子部品又はカバー部材の少なくとも一方は、その他方に係止してカバー部材がボルトとの供回りすることを阻止する係止部を有する。
【００１２】
上記構成では、ＩＣタグを電子部品のネジ孔に挿入しているため、管理者が点検の際にＩＣタグの読み取り装置を使うことによって、ＩＣタグの識別情報を得ることができる。従って、ＩＣタグの読み取り装置によりＩＣタグの識別情報が得られないときには、電子部品が不正に交換されたと判別することができる。
【００１３】
また、ＩＣタグを電子部品に封入するボルトは、締め込み解除方向に回転する治具と係合しない形状の係合部をネジ頭部の表面に有する。従って、締め込まれた状態のボルトを治具によって締め込み解除することができない。
【００１４】
また、ボルトが締め込まれた状態で、カバー部材の周壁部がボルトの頭部の側方を覆っているため、締め込まれた状態のボルトのネジ頭部と、カバー部材の周壁部との間には、ペンチ等によりボルトのネジ頭部の側方を直接掴んで回転させることのできる隙間がない。従って、カバー部材を破壊しなければ、締め込まれた状態のボルトを、ペンチ等によってネジ頭部の側方を直接掴んで締め込み解除することができない。
【００１５】
このように、電子部品からボルトを外すことが困難な構成であるため、遊技者が電子部品からボルトを外すことなく不正品に交換する場合がある。従って、この場合には、ＩＣタグの読み取り装置を使用することにより、電子部品が不正に交換されたと判別することができる。
【００１６】
また、電子部品がその表面にボルトとカバー部材を備える特殊な外観を有しているため、遊技者が正規品と交換する不正品の外観が、正規品と大きく異なる場合がある。従って、この場合には、管理者が目視による点検をした時に不正品の存在を容易に発見することができる。
【００１７】
また、遊技者がカバー部材を破壊して、ＩＣタグを不正品に付け替える場合がある。従って、この場合には、管理者が目視による点検をした時にカバー部材に異常がある不正品の存在を容易に発見することができる。
【００１８】
また、カバー部材を破壊しなければ、ボルトを外すことができない構成であるため、電子部品の不正な交換が行われていない状態であっても、遊技者が不正にボルトを外そうと試みた場合には、カバー部材に痕跡が残る。従って、この場合には、管理者が目視による点検をした時に、電子部品を不正に交換しようとした事実を、事後的に知ることができる。
【００１９】
また、電子部品に締め込み解除が困難なボルト及びカバー部材を備える特徴的な外観を有すること、電子部品がＩＣタグを備えることにより不正監視されていること、あるいはボルトを外すためにはカバー部材を破壊しなければならないことによって、遊技者が電子部品の交換を躊躇することが期待できる。従って、遊技者による電子部品の不正な交換を抑止することができる。
【００２０】
また、ＩＣタグは電子部品の内部に挿入された状態でボルトにより封入されているため、ＩＣタグを覆う電子部品やカバー部材やボルトを不透明な素材で構成することにより、遊技者はＩＣタグにより不正監視されていることに気付き難くなる。これにより、遊技者がＩＣタグにより不正監視されていることに気付かないまま不正に電子部品を交換するため、ＩＣタグの読み取り装置による不正監視を効果的に行うことができる。
【００２１】
また、ＩＣタグを覆う電子部品やカバー部材やボルトを透明な素材で構成にすることにより、封入されたＩＣタグを確認可能にすることもできる。
【００２２】
また、電子部品に設けたネジ孔にＩＣタグを挿入した状態で、ネジ孔にボルトのネジ軸部を螺合し、ボルトのネジ頭部と電子部品との間にカバー部材を担持させるとともに、カバー部材とボルトとの供回りを阻止する係止部を、電子部品とカバー部材の少なくとも一方が備えるという簡単な構成によって不正を監視することができる。すなわち、カバー部材のみが係止部を備える構成の場合には、不正の監視をしたい電子部品に対してネジ孔を設けるのみで、ＩＣタグとボルトとカバー部材とにより、不正を監視することができる。
【００２３】
また、電子部品とＩＣタグとボルトとカバー部材とにより構成されているため、従来のように不正の監視対象となる電子部品をケースで覆う構成に比べて、省スペースで不正を監視することができる。
【００２４】
また、本発明に係る不正監視装置は、ＩＣタグをボルトの内部に封入し、ボルトとともにネジ孔に締め込む構成にしてもよい。
【００２５】
上記構成では、ＩＣタグがボルトの内部に封入されている。従って、電子部品に対するＩＣタグの取り付けの作業性が向上する。
【００２６】
また、本発明に係る不正監視装置は、カバー部材の周壁部に切り込み溝を形成してもよい。
【００２７】
上記構成では、カバー部材の周壁部には切り込み溝があるため、力を加えることによって周壁部が切り込み溝に沿って変形又は破壊される。これにより、管理者は、必要な場合にカバー部材の周壁部を破壊し、この状態で表れたボルトのネジ頭部の側方をペンチ等によって直接掴みながら、ボルトを締め込み解除方向に回転させることができる。また、ボルトを外すときには、カバー部材と電子部品との少なくとも一方が有する係止部により、ボルトとカバー部材とが供回りすることがない。従って、管理者は、電子部品に損傷を与えることなくＩＣタグの取り外し又は異なる識別情報のＩＣタグの付け替えができる。また、遊技機をリサイクルする際の分解や分別する作業性が向上する。
【００２８】
また、カバー部材の周壁部に切り込み溝があるため、遊技者が正規な電子部品からボルトを外すためにカバー部材を取り外そうと試みたときに、カバー部材の周壁部が切り込み溝より変形又は破壊されるため、カバー部材に痕跡が残り易い。従って、管理者が目視による点検をした時にカバー部材の異常を容易に発見することができる。
【００２９】
また、カバー部材の周壁部に切り込み溝があり、その切り込み溝によって周壁部が変形又は破壊されれば外観が変わってしまうため、遊技者が不正な電子部品の付け替えを躊躇することが期待できる。従って、遊技者による電子部品の不正な交換を抑止することができる。
【００３０】
また、本発明に係る不正監視装置は、電子部品の近傍で遊技機に固定され、ＩＣタグに対して呼出波を送信してその反射波を受信するアンテナを備えてもよい。
【００３１】
上記構成では、ＩＣタグの読み取り装置としてのアンテナを、電子部品の近傍で遊技機に固定された状態で備えることによって、電気的に不正監視することができる。これにより、ＩＣタグに対してアンテナが呼出波及び反射波を送受信可能な距離を超えて、ＩＣタグがアンテナから離された場合には、アンテナが反射波を受信することができないことを判定することによって、異常状態であると判別することができる。
【００３２】
なお、アンテナを遊技機に固定するときには、ＩＣタグとアンテナとの距離を、ＩＣタグに対してアンテナが呼出波及び反射波を送受信可能な最大の距離にしたり、あるいは、アンテナからＩＣタグへ所定時間毎に呼出波を送信したりすることによって、より効果的に電気的な不正監視をすることができる。
【００３３】
また、上記構成に加えて、例えば、ＩＣタグに対してアンテナが呼出波及び反射波を送受信可能な距離を超えて、ＩＣタグがアンテナから離れていることを判別する判別手段と、判別手段によりＩＣタグがアンテナから離れていると判別されたことを報知する報知手段とを備えることによって、不正行為が行われたことを早期に発見することができる。
【発明の効果】
【００３４】
本発明によれば、遊技者による電子部品の不正な交換を抑止すると共に、不正品の存在を容易に発見することができる。
【発明を実施するための最良の形態】
【００３５】
本実施形態は、メダルによって遊技を行う回胴式遊技機を例に挙げて説明するが、本発明は、弾球遊技機等の他の遊技機であっても適用可能である。
【００３６】
図１及び図２に示すように、遊技機１は、外部的構成として、四角箱状の筐体２を有する。筐体２は、前面に開口を有する箱体と、開口を閉止した状態で箱体に対して施錠される前面扉４とを備える。
【００３７】
筐体２の前面には、表示窓５が形成されている。また、筐体２の前面には、遊技者からの入力操作を受けるスイッチ類、メダル投入口６、メダル払出口７、メダル受け皿８、スピーカ９、表示パネル１０、複数のランプ１１、及び複数のＬＥＤ１２等が設けられている。スイッチ類は、ベットスイッチ１３、精算スイッチ１４、スタートスイッチ１５、及びストップスイッチ１６を含む。これらスイッチ類、メダル投入口６、メダル払出口７、及びメダル受け皿８は、表示窓５の下方に配置されている。また、スピーカ９は、筐体２の前面の左右上角部に配置されている。
【００３８】
メダル投入口６は、筐体２の前面の略中央端部に位置し、メダル投入口６の内部には、投入されたメダルを検知する投入スイッチが設けられている。
【００３９】
ベットスイッチ１３は表示窓５の下方に位置し、貯留メダル数を減じてメダル投入に代えるための押下入力を受け付ける。
【００４０】
精算スイッチ１４は、表示窓５の斜め下方に位置し、貯留した投入メダルを払い出すための押下入力を受け付ける。
【００４１】
スタートスイッチ１５は、表示窓５の斜め下方に位置し、遊技メダルの投入若しくはベットスイッチ１３の押下を条件に、又は、再遊技時には前遊技から所定時間経過を条件に、回転リール２０を始動させるための入力を受け付ける。なお、再遊技とは、当選抽選部の抽選により、再遊技のフラグが成立し、再遊技の図柄が入賞有効ライン上に揃うことにより、次の遊技において、遊技メダルを新たに投入することなく、再度、遊技を行うことができるものである。
【００４２】
ストップスイッチ１６は、リールユニットの駆動を停止させるための入力を受け付ける。具体的には、ストップスイッチ１６は各回転リール２０に対応した３個のスイッチから構成され、各回転リール２０の下方に１個ずつ配置されている。回転リール２０に対応したストップスイッチ１６が押下されると、当該対応した回転リール２０の回転が停止する。
【００４３】
ランプ１１及びＬＥＤ１２は、発光体の点灯又は点滅によって遊技状態を遊技者に報知する。
【００４４】
スピーカ９は音声の発生によって遊技状態を遊技者に報知する。
【００４５】
表示パネル１０の表示画面は液晶によって構成され、この表示画面には、演出制御装置の制御により、遊技の進行に応じて入賞等の遊技状態を遊技者に報知するための所定の画像が表示される。なお、表示パネル１０の表示画面として液晶以外を用いてもよい。
【００４６】
遊技機１は、内部的構成として、筐体２の前面領域１７の後側（遊技者の反対側）の内部空間に、遊技機１の全体の動作を制御するための制御装置、リールユニット、ホッパーユニット、不正監視装置を備える。
【００４７】
リールユニットは、枠体に固定あるいは支持された３個のモータと各々のモータの出力軸に固定された３個の回転リール２０とから構成されている。各回転リール２０は、合成樹脂からなる回転ドラム２１と、回転ドラム２１の周囲に貼付されるテープ状のリールテープ２２とを備えている。このリールテープ２２の外周状には、複数個（例えば２１個）の図柄２３が表示されている。各回転リール２０の図柄２３のうち、遊技者には前側に位置する図柄２３が表示窓５から視認可能となる。
【００４８】
ホッパーユニットは、遊技の結果に基づいて、遊技者にメダルを払い出す。
【００４９】
制御装置は、回路基板上に配置され、ＣＰＵを中心に構成され、ＲＯＭ、ＲＡＭ、Ｉ／Ｏ等の電子部品を備えている。ＣＰＵは、１個に限定されず、複数であってもよい。また、ＣＰＵ、ＲＯＭ、ＲＡＭ及びＩ／Ｏ等は、一体化したワンチップによって構成してもよい。
【００５０】
制御装置は、主制御装置と、主制御装置からの信号を受信して作動する副制御装置とを有し、ＣＰＵがＲＯＭに記憶されたプログラムを読み込むことで各処理を実行する。主制御装置は遊技制御装置を含み、副制御装置は演出制御装置を含む。遊技制御装置はスタートスイッチ１５及びストップスイッチ１６が押下されることにより、回転リール２０の回転及び停止を制御する。また、主制御装置は当選抽選部を含み、当選抽選部はスタートスイッチ１５の押下を契機として遊技者にとって有利な遊技状態を生起するか否かの電子的な抽選を実行する。演出制御装置は遊技状態に応じて、表示パネル１０、ランプ１１、ＬＥＤ１２、及びスピーカ９を制御する。このように、遊技の進行に関する処理を実行する遊技制御装置と演出に関する処理を実行する演出制御装置を別個に設けることにより、演出制御に当てられるメモリを大幅に増やすことができる共に、演出の態様のみを容易に変更することができる。
【００５１】
遊技制御装置は、投入スイッチやベットスイッチ１３や精算スイッチ１４やスタートスイッチ１５やストップスイッチ１６等の各種スイッチからの検出信号を受信し、所定の内部処理の結果を演出制御装置へ出力する。演出制御装置は、遊技制御装置から受信した信号に基づいて、リールユニット、ホッパーユニット、表示パネル１０、ランプ１１、ＬＥＤ１２、及びスピーカ９に対して制御信号を出力する。遊技制御装置は、遊技制御部、当選抽選部、リール回転停止制御部等を含み、スタートスイッチ１５及びストップスイッチ１６の操作により、回転リール２０の回転及び停止を制御する。
【００５２】
制御装置（主制御装置及び副制御装置）は、複数の回路基板上にそれぞれ形成された回路によって構成されている。各回路基板上の回路と、ホッパーユニットや投入スイッチやベットスイッチ１３等の各種電子部品とは、信号電送用の電子部品としての配線３１及びコネクタ３２を介して電気的に接続されている。配線３１は、導線とこれを覆う絶縁性樹脂とから構成され、コネクタ３２は、配線３１の両端にそれぞれ設けられている。回路基板と各種電子部品にはそれぞれ接続部２５が設けられ、各接続部２５にはコネクタ３２が着脱自在に接続される。また、回路基板は、接続部２５が露出した状態で、透過性ケース２６に収容される。
【００５３】
図２及び図３に示すように、本実施形態の不正監視装置は、コネクタ３２とＩＣタグ３５とボルト３６とカバー部材３９とを備え、主制御装置の回路基板とホッパーユニットとを接続するコネクタ３２を不正行為の監視対象としている。なお、不正監視装置の監視対象は、上記コネクタ３２に限定されるものではなく、例えば回路基板を収容する透過性ケース２６や、主制御装置の当選抽選部に接続されるコネクタ３２、又は、回路基板に対して着脱自在なＲＯＭ収容カセットなど他の様々な電子部品を監視対象とすることができる。
【００５４】
不正行為の監視対象であるコネクタ３２にはネジ孔３３と係止孔３４とが形成され、ネジ孔３３にはＩＣタグ３５が挿入される。
【００５５】
ＩＣタグ３５は、メモリ部とコイル部とを有する１３．５６ＭＨｚ帯で動作するパッシブ方式のＲＦＩＤ（Radio Frequency Identification）である。メモリ部には、識別情報が記載されている。なお、電子部品ごとに異なる識別情報を設定してもよく、同種の電子部品に共通する識別情報を設定してもよい。また、ＩＣタグ３５は、上記構造に限らず、他の構造でもよい。
【００５６】
図４〜図６に本実施形態のボルト３６の詳細を示す。なお、図５は、図４をＶ方向から視た側面図であり、図６は、図４をＶＩ方向から視た側面図である。ボルト３６は、ネジ頭部３７とネジ軸部３８とを有する。ボルト３６は、不透明の樹脂製であるが、他の素材であってもよい。
【００５７】
ネジ頭部３７は、ボルト３６を締め込む際にマイナスドライバ（治具）５０によって締め込み方向（図中右回り方向）５１に回転させる際にはマイナスドライバ５０と係合し、締め込み解除方向（図中左回り方向）５２に回転させる際にはマイナスドライバ５０と係合しない頭部形状を有する。具体的には、ボルト３６のネジ頭部３７には、ボルト３６を締め込む際にマイナスドライバ５０と当接する２箇所の当接面３７ａと、各当接面３７ａの端縁から上記締め込み方向５１へ傾斜する傾斜面３７ｂとが形成されている。図４に示すように、両当接面３７ａとマイナスドライバ５０の表裏面と対向させた状態でマイナスドライバ５０を右回り（図中矢印５１方向）に回転させると、マイナスドライバ５０が当接面３７ａに当接してボルト３６を締め込み方向へ回転させる。一方、両当接面３７ａとマイナスドライバ５０の表裏面と対向させた状態でマイナスドライバ５０を左回り（図中矢印５２方向）に回転させると、マイナスドライバ５０が傾斜面３７ｂ上を乗り上げてしまい、ボルト３６は締め込み解除方向へ回転しない。また、ネジ軸部３８には、コネクタ３２のネジ孔３３の雌ねじ部と螺合する雄ねじ部が形成され、ボルト３６は、右回りに回転することによりネジ孔３３に締め込まれる。
【００５８】
また、図７〜図９に、上記ネジ頭部３７と異なる形状であり且つＩＣタグ３５が内蔵されたネジ頭部４７を有するボルト４６の例を示す。図８は、図７をＶＩＩＩ方向から視た側面図、図９は、図８の一部断面図である。
【００５９】
ネジ頭部４７には、ボルト４６を締め込む際に治具と当接する２箇所の当接面４７ａと、各当接面４７ａの端縁から締め込み方向へ傾斜する傾斜面４７ｂとが形成されている。２箇所の当接面４７ａは、全体として平面視略Ｓ字形状を呈する。ネジ頭部４７の外周面４７ｃには、所定の刻印「ＸＹＺ」が施されている。専用の治具（例えば、ネジ頭部４７と嵌合する形状を有する治具）を両当接面４７ａと対向させた状態で右回りに回転させると、治具が当接面４７ａに当接してボルト４６を締め込み方向へ回転させる。一方、治具を両当接面４７ａと対向させた状態で左回りに回転させると、治具が傾斜面４７ｂ上を乗り上げてしまい、ボルト４６は締め込み解除方向へ回転しない。
【００６０】
また、ネジ頭部４７には、ボルト４６の製造時のインサート成形によってＩＣタグ３５が内蔵されている。
【００６１】
図２及び図３に示すように、カバー部材３９は、樹脂製であり、底板部４０と周壁部４３とを有する。底板部４０は、略矩形の透明板状であり、その中央にはネジ軸部３８を挿通する挿通孔４１が形成されている。また、底板部４０の一側面には、係止孔３４と対向配置する２つの係止突起４２が形成されている。周壁部４３は、底板部４０の四辺から係止突起４２を有さない面側からネジ頭部３７の高さ以上の長さになるよう延びて、底板部４０と共にネジ頭部３７を収容する空間５９を区画する。周壁部４３の相対向する内面間の距離は、ネジ頭部３７の直径よりも僅かに大きく設定され、周壁部４３の高さはネジ頭部３７の高さ（厚さ）よりも僅かに大きく設定されている。また、周壁部４３の２対の対向壁のうち１対（２つ）の対向壁には、それぞれ２本の切り込み溝４４が形成されている。周壁部４３のうち２本の切り込み溝４４の間の領域５３に外力が付与されることにより、この領域５３が容易に変形する。
【００６２】
ＩＣタグ３５をコネクタ３２に取り付ける場合、コネクタ３２のネジ孔３３にＩＣタグ３５を挿入し、コネクタ３２の係止孔３４にカバー部材３９の係止突起４２を嵌合した状態で、挿通孔４１を介してネジ孔３３にネジ軸部３８を螺合してボルト３６を締め込む。なお、図９に示すようにＩＣタグ３５が内蔵されたボルト４６を使用する場合には、ボルト４６のネジ軸部４８をネジ孔３３に螺合して締め込むだけでよい。このように、ＩＣタグ３５の取り付け作業は、マイナスドライバ５０や専用の治具によってボルト３６，４６を締め込むことにより行うことができるため、作業性がよい。また、挿通孔４１を介してボルト３６が締め込まれた状態では、底板部４０がネジ頭部３７とコネクタ３２との間に挟持され、周壁部４３がネジ頭部３７の側方を覆う。
【００６３】
次に、遊技機１において実行される遊技の概要について説明する。
【００６４】
遊技機１は、遊技者がメダルをメダル投入口６から投入するか、遊技機１にクレジットされたメダルをベットスイッチ１３によりベットすることを条件に、又は、前回のゲームで再遊技が与えられた時には前回のゲームの終了から所定時間経過を条件に、遊技者がスタートスイッチ１５を押下することによりゲームがスタートする。ゲームのスタートにより、前面の表示窓５から遊技者が見ることのできる３個の回転リール２０が回転するとともに遊技制御装置によって抽選が行われる。遊技者が３個の回転リール２０それぞれに対応した３個のストップスイッチ１６を押圧することにより、それぞれの回転リール２０の回転が停止する。このとき、ゲームのスタート前に投入したメダル又はベットした遊技価値の数に応じて決められた、表示窓５の入賞有効ライン上に揃った図柄２３が、遊技者に有利な状態で停止表示していた場合には、遊技者に対して、所定数のメダルをホッパーユニットからメダル受け皿８に払い出したり、続けて遊技を行うときに特別な遊技状態を与えたりする。以上により１ゲームが終了する。なお、遊技制御装置による前記抽選では、遊技者によって所定の図柄２３に停止表示する容易さが決定される。
【００６５】
次に、本実施形態の不正監視装置の動作について説明する。
【００６６】
遊技機１が設置された遊技店の店員等の管理者は、ＩＣタグ３５の読み取り装置４５を使用し、適宜ＩＣタグ３５から識別情報を取得することによって、ＩＣタグ３５の存在を確認する。
【００６７】
読み取り装置は、１３．５６ＭＨｚ帯の呼出波を所定時間毎に送信し、ＩＣタグ３５より識別情報を含む反射波を受信する装置である。読み取り可能な距離を長くすることによって、遊技機１の筐体２外部からＩＣタグ３５の識別情報を読み取ることができる。
【００６８】
ＩＣタグ３５では、読み取り装置が送信した呼出波をコイル部において受信し、電磁誘導により電流を発生させる。次に、コイル部で発生させた電流がメモリ部に流れて、メモリ部に記憶する識別情報が読まれることにより、識別情報を搬送した反射波を読み取り装置に送信する。
【００６９】
本実施形態では、ＩＣタグ３５がコネクタ３２に取り付けられているため、管理者が点検の際にＩＣタグ３５の読み取り装置を使用することによって、ＩＣタグ３５の識別情報を得ることができる。従って、ＩＣタグ３５の読み取り装置によりＩＣタグ３５の識別情報が全く得られないとき、又は正規の識別情報とは異なる識別情報が得られたときに、コネクタ３２が不正に交換されたと判別することができる。
【００７０】
また、ＩＣタグ３５を様々な電子部品に取り付けることができるため、不正行為の防止が困難なコネクタ３２を不正行為の監視対象とすることができる。すなわち、透過性ケース２６に収容することによる不正の防止が困難なコネクタ３２のような電子部品であっても、不正行為の監視対象とすることができる。
【００７１】
また、ＩＣタグ３５をコネクタ３２に取り付けるためのボルト３６，４６は、締め込み解除方向に回転するマイナスドライバ５０や専用の治具と係合しない形状のネジ頭部３７を有するので、締め込まれた状態のボルト３６，４６を容易に取り外すことができない。
【００７２】
また、ボルト３６，４６が締め込まれた状態で、カバー部材３９の周壁部４３がボルト３６のネジ頭部３７の側方を覆っており、締め込まれた状態のボルト３６，４６のネジ頭部３７，４７とカバー部材３９の周壁部４３との間には、ペンチ等の挿入が許容される十分な隙間が存在しない。従って、ボルト３６，４６のネジ頭部３７，４７の側方を直接掴んで回転させることのできず、カバー部材３９を変形又は破壊させなければ、締め込まれた状態のボルト３６，４６を、ペンチ等によって取り外すことができない。
【００７３】
このように、コネクタ３２からボルト３６，４６を外すことが困難な構成であるため、コネクタ３２を不正品に交換しようとする遊技者にとっては、ＩＣタグ３５をコネクタ３２から不正品へ付け替える作業が煩雑となる。従って、ＩＣタグ３５を付け替えることなく不正品への交換が行われる可能性が高まり、不正品への交換をＩＣタグ３５からの識別情報によって判別できる頻度が高くなる。
【００７４】
また、コネクタ３２がその表面にボルト３６とカバー部材３９とを備える特殊な外観を有しているため、コネクタ３２が不正品と交換された場合に、管理者が目視による点検によって不正品の存在を容易に発見することができる。
【００７５】
また、遊技者がカバー部材３９を変形又は破壊してＩＣタグ３５をコネクタ３２から不正品に付け替えた場合には、目視による点検によってカバー部材３９に異常がある不正品の存在を容易に発見することができる。
【００７６】
また、カバー部材３９を変形又は破壊しなければ、ボルト３６を外すことができない構成であるため、コネクタ３２の不正な交換が行われていない状態であっても、遊技者が不正にボルト３６を外そうと試みた場合には、カバー部材３９にその痕跡が残る。従って、管理者が目視による点検をした時に、コネクタ３２を不正に交換しようとした事実を、事後的に知ることができる。
【００７７】
また、上述のように、コネクタ３２が締め込み解除が困難なボルト３６及びカバー部材３９を備えた特徴的な外観を有すること、コネクタ３２がＩＣタグ３５によって不正監視されていること、あるいはＩＣタグ３５をコネクタ３２から取り外すためにはカバー部材３９を変形又は破壊しなければならないことので、遊技者がコネクタ３２の交換を躊躇することが期待できる。従って、遊技者によるコネクタ３２の不正な交換を未然に抑制することができる。
【００７８】
また、ＩＣタグ３５はコネクタ３２の内部に挿入された状態でボルト３６により封入され、又はボルト４６に内蔵されているため、ＩＣタグ３５を覆うコネクタ３２やカバー部材３９やボルト３６，４６を不透明な素材で構成することにより、遊技者はＩＣタグ３５により不正監視されていることに気付き難くなる。これにより、遊技者がＩＣタグ３５により不正監視されていることに気付かないまま不正にコネクタ３２を交換し易くなり、ＩＣタグ３５による不正監視を効果的に行うことができる。
【００７９】
なお、反対に、ＩＣタグ３５を覆うコネクタ３２やカバー部材３９やボルト３６，４６を透明な素材で構成にすることによって、ＩＣタグ３５を外部から目視により確認することができる。
【００８０】
また、コネクタ３２に設けたネジ孔３３にＩＣタグ３５を挿入した状態でネジ孔３３にボルト３６を螺合し、又はＩＣタグ３５が内蔵されたボルト４６をネジ孔３３に螺合し、ボルト３６のネジ頭部３７とコネクタ３２との間にカバー部材３９を挟持させるとともに、カバー部材３９とボルト３６との供回りを阻止する係止孔３４及び係止突起４２を、コネクタ３２とカバー部材３９とにそれぞれ形成するという簡単な構成によって、不正を監視することができる。なお、カバー部材３９のみが係止部を備える構成の場合には、不正の監視をしたいコネクタ３２に対してネジ孔３３を設けるのみで、ＩＣタグ３５とボルト３６とカバー部材３９とにより、不正を監視することができる。
【００８１】
また、コネクタ３２とＩＣタグ３５とボルト３６とカバー部材３９とにより構成されているため、省スペースで不正を監視することができる。
【００８２】
さらに、ＩＣタグ３５を内蔵するボルト４６を使用した場合、コネクタ３２に対するＩＣタグ３５の取り付けの作業性がさらに向上する。
【００８３】
また、カバー部材３９の周壁部４３には切り込み溝４４があるため、力を加えることによって周壁部４３が切り込み溝４４に沿って変形又は破壊される。これにより、管理者は、必要に応じてカバー部材３９の周壁部４３を破壊させ、その状態で表れたボルト３６，４６のネジ頭部３７，４７の側方をペンチ等によって直接掴みながら、ボルト３６，４６を締め込み解除方向に回転させることができる。また、ボルト３６，４６を外すときには、コネクタ３２の係止孔３４とカバー部材３９の係止突起４２により、ボルト３６，４６とカバー部材３９とが供回りすることがない。従って、管理者は、コネクタ３２に損傷を与えることなくＩＣタグ３５の取り外し又は異なる識別情報のＩＣタグ３５の付け替えができる。また、遊技機１をリサイクルする際の分解や分別する作業性が向上する。
【００８４】
また、カバー部材３９の周壁部４３に切り込み溝４４があるため、遊技者が正規なコネクタ３２からボルト３６を外すためにカバー部材３９を取り外そうと試みたときに、カバー部材３９の周壁部４３が切り込み溝４４に沿って変形する等、カバー部材３９に痕跡が残り易い。従って、管理者が目視による点検をした時にカバー部材３９の異常を容易に発見することができる。
【００８５】
また、カバー部材３９の周壁部４３に切り込み溝４４があり、その周壁部４３が破壊されれば外観が変わってしまうため、遊技者がコネクタ３２の不正な付け替え行為を躊躇することが期待できる。従って、遊技者によるコネクタ３２の不正な交換を抑止することができる。
【００８６】
［その他の実施形態］
次に、本発明の他の実施形態について、図１０及び図１１に基づき説明する。本実施形態の不正監視装置は、上記実施形態に加えて、ＩＣタグ３５の読み取り装置としてのアンテナ５４と、不正判定部５５とを備える。アンテナ５４は、筐体２の内部に設けられ、１３．５６ＭＨｚ帯の呼出波を所定時間毎に送信することにより、ＩＣタグ３５から識別情報を含む反射波を受信する。不正判定部５５は、制御装置５６の主制御装置５７に設けられている。
【００８７】
アンテナ５４は、所定時間毎に呼出波を送信し、この呼出波に応答したＩＣタグ３５からの反射波を受信したとき、これに対応した受信情報を不正判定部５５へ出力する。不正判定部５５は、アンテナ５４からの呼出波の送信に応答した反射波の受信情報が全く入力されないとき、又は入力された受信情報が示す識別情報が予め定められた識別情報と相違するときに、副制御装置５８へ不正検出信号を出力する。副制御装置５８は、不正検出信号を受信したとき、報知手段としての表示パネル１０に不正行為が行われた可能性がある旨を示す画像を表示させる。なお、表示パネル１０に代えて又は加えて、所定のランプ１１やＬＥＤ１２を点灯制御することによって、不正行為が行われた可能性があることを報知してもよい。
【００８８】
上記実施形態では、遊技機１にアンテナ５４を設け、アンテナ５４から所定時間毎に呼出波を送信して不正を監視しているので、管理者は、ＩＣタグ３５の読み取り装置を使用することなく、コネクタ３２が不正品に交換されていないかどうかを定期的に点検することができる。
【００８９】
また、アンテナ５４を、ＩＣタグ３５に対する呼出波及び反射波を送受信可能な限界範囲内であって、その限界範囲の境界近傍に設けてもよい。これにより、コネクタ３２に対して不正行為が行われてＩＣタグ３５が上記限界範囲から外れた場合に、不正判定部５５から不正検出信号が出力されて表示パネル１０に報知装置が報知するため、管理者は不正行為を知ることができる。
【００９０】
また、アンテナ５４からの呼出波の送信を、外部からの操作入力又は信号入力によって行わせてもよい。これにより、管理者は、任意の時に（例えば点検作業を行う時に）、コネクタ３２が不正に交換されていないか否かを確かめることができる。
【００９１】
また、遊技機１に電源が投入されていない状態であっても不正監視装置が作動するように、遊技機１の電源によって充電される充電電池を設け、充電電池からアンテナ５４へ電気を供給してもよい。
【００９２】
さらに、アンテナ５４を、透過性ケース２６に収容してもよい。
【００９３】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【図面の簡単な説明】
【００９４】
【図１】本発明の実施形態となる遊技機の外観正面図である。
【図２】本発明の実施形態となる不正監視装置の斜視図である。
【図３】図２に示す不正監視装置の断面図である。
【図４】図２に示す不正監視装置のボルトの正面図である。
【図５】図４に示すボルトをＶ方向から視た側面図である。
【図６】図４に示すボルトをＶＩ方向から視た側面図である。
【図７】異なる実施形態のボルトの正面図である。
【図８】図７に示すボルトをＶＩＩＩ方向から視た側面図である。
【図９】図８の一部断面図である。
【図１０】異なる実施形態の不正監視装置の斜視図である。
【図１１】図９の実施形態のブロック図である。
【符号の説明】
【００９５】
３１…配線、３２…コネクタ（電子部品）、３３…ネジ孔、３４…係止孔、３５…ＩＣタグ、３６…ボルト、３７…ネジ頭部、３８…ネジ軸部、３９…カバー部材、４０…底板部、４１…挿通孔、４２…係止突起、４３…周壁部、４４…切り込み溝、５０…マイナスドライバ（治具）、５４…アンテナ
【図１】
2008036227.tif 000003
【図２】
2008036227.tif 000004
【図３】
2008036227.tif 000005
【図４】
2008036227.tif 000006
【図５】
2008036227.tif 000007
【図６】
2008036227.tif 000008
【図７】
2008036227.tif 000009
【図８】
2008036227.tif 000010
【図９】
2008036227.tif 000011
【図１０】
2008036227.tif 000012
【図１１】
2008036227.tif 000013